(57)【要約】【課題】遊技球の移動方向に意外性を持たせるとともに、面白みを生じさせる役物装置および遊技機を提供する。【解決手段】役物装置２０は、遊技盤４の盤面に沿って流下する遊技球を受け入れ、周縁から略中央に向かって傾斜するように凹む球受け面７１を有する球受け部材７０と、球受け面７１に受けられた遊技球を球受け部材７０の外方に送り出す球送出部材８０と、球受け部材７０の外方に位置して、球送出部材８０によって球受け部材７０から外方に送り出された遊技球が入球する入球口４２を有する枠部材４０と、を備えている。球送出部材８０が回転することによって、球受け面７１に受けられた遊技球を球送出部材８０により球受け部材７０の外方の枠部材４０に送り出し、入球口４２に入球させるようにした。【選択図】図２
2020039660.tif 000002
【特許請求の範囲】
【請求項１】
遊技盤の盤面に沿って流下する遊技球を受け入れ、周縁から略中央に向かって傾斜するように凹む球受け面を有する球受け部材と、
前記球受け面に受けられた遊技球を前記球受け部材の外方に送り出す球送出部材と、
前記球受け部材の外方に位置して、前記球送出部材によって前記球受け部材から外方に送り出された遊技球が入球する入球口を有する枠部材と、
を備え、
前記球受け部材又は前記球送出部材の少なくとも一方が回転することによって、前記球受け面に受けられた遊技球を前記球送出部材により前記球受け部材の外方の前記枠部材に送り出し、前記入球口に入球させるようにしたことを特徴とする役物装置。
【請求項２】
前記球受け面の底部に球落下口が設けられ、
前記球受け部材および前記球送出部材は、前記球受け部材又は前記球送出部材の少なくとも一方が上下動することによって、前記球受け面と前記球送出部材との間隙が遊技球が通過可能な間隔に拡開して前記球落下口から遊技球が落下可能となる開放状態と、前記球受け面と前記球送出部材との間隙が前記球送出部材により遊技球が受け止められ前記球落下口から遊技球が落下不能となる閉鎖状態と、に変化することを特徴とする請求項１に記載の役物装置。
【請求項３】
前記球送出部材は、前記球受け部材および前記球送出部材が前記開放状態であるときに、前記球受け面と前記球送出部材との間隙の一部を閉鎖し、前記球落下口から遊技球が落下することを阻止する阻止片を有することを特徴とする請求項２に記載の役物装置。
【請求項４】
前記球受け部材は、前記球受け面における底部から、遊技球を前記枠部材に送り出す開放端部に向かって遊技球の一部が嵌まる浅溝状の案内路を有することを特徴とする請求項１から請求項３のいずれか一項に記載の役物装置。
【請求項５】
前記球受け部材は、複数の前記案内路を有し、
複数の前記案内路は、前記球送出部材により遊技球が送られる側の縁部が溝部から遊技球が外れ難い角形状である第１案内路と、遊技球が送られる側の縁部が前記第１案内路よりも遊技球が外れ易い曲面形状である第２案内路と、を含むことを特徴とする請求項４に記載の役物装置。
【請求項６】
前記案内路は、遊技球の送り方向とは反対側に向かって凸となる湾曲放射状であることを特徴とする請求項４又は請求項５に記載の役物装置。
【請求項７】
前記球送出部材は、遊技球を前記枠部材に送り出す作用片を備え、前記作用片が前記球受け面に略平行となるように配置されることを特徴とする請求項１から請求項６のいずれか一項に記載の役物装置。
【請求項８】
前記作用片は、遊技球の送り方向に凸となる湾曲状であることを特徴とする請求項７に記載の役物装置。
【請求項９】
前記作用片は、前記球送出部材に対して遊技球を滞留させるように支持する支持段部を具備することを特徴とする請求項７又は請求項８に記載の役物装置。
【請求項１０】
前記球送出部材は、複数の前記作用片を有し、
複数の前記作用片は、前記支持段部を具備する第１作用片と、前記支持段部を具備しない第２作用片と、を含むことを特徴とする請求項９に記載の役物装置。
【請求項１１】
前記球送出部材は、前記球受け面の底部の近傍に位置する部位に、前記底部に近づく遊技球に接触して拡散させる接触片を有することを特徴とする請求項１から請求項１０のいずれか一項に記載の役物装置。
【請求項１２】
請求項１から請求項１１のいずれか一項に記載の役物装置を備えることを特徴とする遊技機。
【発明の詳細な説明】
【技術分野】
【０００１】
本発明は、役物装置及びそれを備えた遊技機に関するものである。
【背景技術】
【０００２】
従来の役物装置には、平面視円形で中央部分が低くなる旋回皿を用いるものがあった。この旋回皿の内周面には、複数の入球口が形成されており、旋回皿に流下してきた遊技球が内周面に沿って旋回した後、いずれかの入球口に落下する構成となっている。
【先行技術文献】
【特許文献】
【０００３】
【特許文献１】特開平８−１０４０１号公報
【発明の概要】
【発明が解決しようとする課題】
【０００４】
しかしながら、上記従来の役物装置は、遊技球が旋回皿内で旋回するのみであり、旋回皿内における遊技球の移動方向に意外性が無かった。そのため、遊技者にとって遊技の面白みに欠けるものであった。
【０００５】
そこで、遊技球の移動方向に意外性を持たせるために、例えば特許文献１のような遊技機が提案されている。この遊技機は、入球口に入球した遊技球に高速回転するように回転力を与える回転力付与手段と、回転力が与えられた遊技球が流下して旋回する椀状体と、を備えている。そして、椀状体に入球した遊技球は、自身の高速回転に基づいて、椀状体の内周面に沿って旋回した後、椀状体の内周面に形成された複数の入球口のいずれかに入球する。
【０００６】
しかしながら、特許文献１の遊技機では、遊技球の移動方向に一定の意外性を持たせることはできるが、遊技球が高速回転するため、遊技球の動きが速すぎて遊技球の動きを楽しめることができない。また、連続して複数の遊技球が椀状体に流下した場合には、衝突した遊技球同士で回転速度を弱め合うことが考えられ、十分な回転力を遊技球に付与できない虞があった。そのため、遊技者に面白みを与えることができなかった。
【０００７】
本発明は、上述した課題を解決するためになされたものであり、遊技球の移動方向に意外性を持たせるとともに、面白みを生じさせ得る役物装置および遊技機を提供することを目的とする。
【課題を解決するための手段】
【０００８】
本発明の役物装置は、
遊技盤の盤面に沿って流下する遊技球を受け入れ、周縁から略中央に向かって傾斜するように凹む球受け面を有する球受け部材と、
前記球受け面に受けられた遊技球を前記球受け部材の外方に送り出す球送出部材と、
前記球受け部材の外方に位置して、前記球送出部材によって前記球受け部材から外方に送り出された遊技球が入球する入球口を有する枠部材と、
を備え、
前記球受け部材又は前記球送出部材の少なくとも一方が回転することによって、前記球受け面に受けられた遊技球を前記球送出部材により前記球受け部材の外方の前記枠部材に送り出し、前記入球口に入球させるようにしたことを特徴とする。
【０００９】
本発明の遊技機は、上記役物装置を備えることを特徴とする。
【発明の効果】
【００１０】
本発明の役物装置および遊技機は、球受け部材において周縁から略中央に向かって傾斜するように凹む球受け面に受けられた遊技球が、球送出部材によって球受け部材の外方に送り出される構成である。これにより、遊技球は、球受け面の傾斜に逆らって球受け部材の外方に移動していくことになる。そのため、遊技球は、周縁から略中央に向かって傾斜するように凹む球受け面において、通常想定される移動方向（球受け面の傾斜に沿って自重で流下する移動方向）とは異なる移動方向に移動するため、動きに意外性を持たせることができる。そして、このような意外性のある動きで遊技球が入球口に送り出されるため、入球口に至る過程に面白みを与えることができる。したがって、遊技球の移動方向に意外性を持たせるとともに、面白みを生じさせ得る役物装置および遊技機を実現することができる。
【００１１】
本発明の役物装置は、球受け面の底部に球落下口が設けられていてもよい。球受け部材および球送出部材は、球受け部材または球送出部材の少なくとも一方が上下動することによって、球受け面と球送出部材との間隙が遊技球が通過可能な間隔に拡開して球落下口から遊技球が落下可能となる開放状態と、球受け面と球送出部材との間隙が球送出部材により遊技球が受け止められ球落下口から遊技球が落下不能となる閉鎖状態と、に変化してもよい。
【００１２】
この構成によれば、球受け部材または球送出部材の少なくとも一方が上下動することによって、球受け面と球送出部材との間隙が遊技球が通過可能な間隔に拡開して球落下口から遊技球が落下可能となる開放状態となることで、球受け面の底部に流下してきた遊技球は、球送出部材によって外方に送り出される前に、球落下口から落下することになる。一方で、球受け部材および球送出部材は、球受け面と球送出部材との間隙が球送出部材により遊技球が受け止められて球落下口から遊技球が落下不能となる閉鎖状態となることで、落下を回避した遊技球に対して球送出部材によって球受け部材の外方に送り出す機会を与えることができる。したがって、球受け部材および球送出部材は、開放状態と閉鎖状態との間で変化することによって、入球口への入球の期待感を変化させることができ、演出効果を高めることができる。
【００１３】
本発明の役物装置は、球送出部材が、球受け部材および球送出部材が開放状態であるときに、球受け面と球送出部材との間隙の一部を閉鎖し、球落下口から遊技球が落下することを阻止する阻止片を有していてもよい。
【００１４】
この構成によれば、球受け部材および球送出部材が開放状態であっても、阻止片によって球落下口から遊技球が落下することを阻止することができる。そのため、球受け部材および球送出部材の間隙が遊技球が球落下口から落下し得る状態であっても、阻止片によって落下することを阻止された遊技球を球送出部材によって球受け部材の外方（入球口）に送り出す機会を与えることができる。したがって、演出効果をより一層高めることができる。
【００１５】
本発明の役物装置は、球受け部材が、球受け面における底部から、遊技球を枠部材に送り出す開放端部に向かって遊技球の一部が嵌まる浅溝状の案内路を有していてもよい。
【００１６】
この構成によれば、球送出部材によって遊技球を球受け部材の外方（枠部材）に送り出す際に、遊技球の一部が案内路に嵌まることで、遊技球が底部から球受け部材の開放端部まで案内路に沿うように案内されて枠部材に送り出されることになる。そのため、案内路に沿って所望の移動経路で安定的に遊技球を送り出すことができる。
【００１７】
本発明の役物装置は、球受け部材が、複数の案内路を有していてもよい。複数の案内路は、球送出部材により遊技球が送られる側の縁部が溝部から遊技球が外れ難い角形状である第１案内路と、遊技球が送られる側の縁部が第１案内路よりも遊技球が外れ易い曲面形状である第２案内路と、を含んでいてもよい。
【００１８】
この構成によれば、遊技球が第１案内路に沿って底部から球受け部材の開放端部まで案内されて送り出される場合に、遊技球が第１案内路から外れ難いため、遊技球が入球口に入球する期待感を高めることができる。一方で、遊技球が第２案内路に沿って底部から球受け部材の開放端部まで案内されて送り出される場合に、第１案内路に案内されて送り出されるより遊技球が第２案内路から外れ易いため、遊技球が入球口に入球するドキドキ感を高めることができる。したがって、第１案内路又は第２案内路のいずれかに遊技球が嵌まるかによって、遊技球が入球口に入球する確率を変化させて、演出効果を高めることができる。
【００１９】
本発明の役物装置は、案内路が、遊技球の送り方向とは反対側に向かって凸となる湾曲放射状であってもよい。
【００２０】
この構成によれば、案内路は、遊技球の送り方向に対して滑らかに傾斜する形状となるため、遊技球の送り方向に対して直交するような形状に比べて、遊技球の送り方向に遊技球を外し出すような作用が生じ難くなる。そのため、案内路に沿って遊技球を安定して送り出すことができる。
【００２１】
本発明の役物装置は、球送出部材が、遊技球を送り出す作用片を備え、作用片が球受け面に略平行となるように配置されていてもよい。
【００２２】
この構成によれば、作用片が球受け面に略平行となるように配置されることで、作用片が球受け面に沿うように遊技球を送り出すことができる。そのため、球受け面に対する作用片の位置が安定した状態で維持され、作用片によって遊技球を安定して送り出すことができる。
【００２３】
本発明の役物装置は、作用片が、遊技球の送り方向に凸となる湾曲状であってもよい。
【００２４】
この構成によれば、作用片は、遊技球の送り方向に対して滑らかに傾斜しつつ、遊技球の送り方向とは反対側で外方に向く形状となるため、遊技球の送り方向に対して直交するような形状に比べて、案内路から遊技球の送り方向に遊技球を外し出すような作用が生じ難い状態で外方に送り出し易くなる。したがって、遊技球を案内路に沿って安定して送り出すことができる。
【００２５】
本発明の役物装置は、作用片が、球送出部材に対して遊技球を滞留させるように支持する支持段部を具備していてもよい。
【００２６】
この構成によれば、支持段部によって球送出部材に対して遊技球を滞留させる状態にすることで、遊技球が作用片から離れ難くなり、球送出部材によって遊技球を安定して送り出すことができる。
【００２７】
本発明の役物装置は、球送出部材が、複数の作用片を有していてもよい、複数の作用片は、支持段部を具備する第１作用片と、支持段部を具備しない第２作用片と、を含んでいてもよい。
【００２８】
この構成によれば、第１作用片によって遊技球を送り出す場合には、支持段部に遊技球を滞留させることで、遊技球を安定して球受け部材から送り出すことができる。一方で、第２作用片によって遊技球を送り出す場合には、支持段部を利用しないため、第１作用片と比して遊技球を球受け部材から送り出す安定感に差ができる。したがって、第１作用片又は第２作用片のいずれで遊技球を送り出すかによって、遊技球の送り出しにおける安定度が異なるため、ゲーム性をより一層高めることができる。
【００２９】
本発明の役物装置は、球送出部材が、球受け面の底部の近傍に位置する部位に、底部に近づく遊技球に接触して拡散させる接触片を有していてもよい。
【００３０】
この構成によれば、球受け面の底部の近傍に流下してきた遊技球を、接触片が接触して拡散させて球受け面の底部よりも上方に移動させることで、遊技球を球送出部材によって球受け部材の外方に送り出す機会を与えることができる。これにより、ゲーム性をより一層高めることができる。
【図面の簡単な説明】
【００３１】
【図１】図１は、本発明の第１実施形態に係る遊技機を例示する正面図である。
【図２】図２は、図１の役物装置を前方側且つ斜め上方側から見た斜視図である。
【図３】図３は、図１の役物装置を前方側且つ斜め上方側から見た分解斜視図である。
【図４】図４は、図１の役物装置を前方側且つ斜め下方側から見た分解斜視図である。
【図５】図５は、図１の役物装置の駆動機構を斜め下方側から見た斜視図である。
【図６】図６（Ａ）は、球受け部材が上昇位置に位置するときの、図１の役物装置の正面図であり、図６（Ｂ）は、球受け部材が下降位置に位置するときの正面図である。
【図７】図７（Ａ）は、球送出部材が所定の回転位置に位置する状態の平面図であり、図７（Ｂ）は、図７（Ａ）に示す状態から球送出部材が所定角度回転した状態の平面図である。
【図８】図８（Ａ）は、球受け部材が上昇位置に位置するときの図７（Ａ）のＡ−Ａ断面に相当する側断面図であり、図８（Ｂ）は、球受け部材が下降位置に位置するときの図７（Ａ）のＡ−Ａ断面に相当する側断面図である。
【図９】図９（Ａ）は、球受け部材が上昇位置に位置するときの図７（Ａ）のＢ−Ｂ断面に相当する側断面図であり、図９（Ｂ）は、球受け部材が下降位置に位置するときの図７（Ａ）のＢ−Ｂ断面に相当する側断面図である。
【図１０】図１０（Ａ）は、第２実施形態に係る球送出部材を上方側から見た斜視図であり、図１０（Ｂ）は、平面図である。
【図１１】図１１（Ａ）は、第３実施形態に係る球送出部材を上方側から見た斜視図であり、図１１（Ｂ）は、平面図である。
【図１２】図１２（Ａ）は、第４実施形態に係る球送出部材を上方側から見た斜視図であり、図１２（Ｂ）は、平面図である。
【図１３】図１３は、他の実施形態に係る球受け部材の平面図である。
【発明を実施するための形態】
【００３２】
[第１実施形態]
以下、本発明に係る役物装置、及び遊技機を具現化した第１実施形態について、図面を参照して説明する。
【００３３】
図１に示す遊技機１は、いわゆるパチンコ機として構成されており、遊技者側に配される前面枠２に形成された窓部３に透明板（ガラス板等）が配置されている。また、透明板の後方（奥側）には、遊技盤４が配置され、この遊技盤４上にガイドレール等によって区画された遊技領域４ａ（遊技球が流下可能な領域）が形成され、遊技者が透明板を介して遊技領域４ａを視認できるように構成されている。遊技領域４ａの中央付近には、中央役物１２が配設され、それぞれ後述する電動チューリップ９、排出流路１１、特別入賞口１３、及び役物装置２０が設けられている。中央役物１２の下方には、作動口５ａ，５ｂが設けられている。中央役物１２の右下側には、アタッカーとして構成される大入賞口６が設けられている。また、窓部３の下方には、遊技球を受ける遊技球受皿７が設けられており、この遊技球受皿７の右側下方には回転操作によって球を打ち出す発射ハンドル８が設けられている。
【００３４】
なお、本明細書では、遊技盤４の前面（盤面）と直交する方向を前後方向とし、遊技盤４の前面（盤面）に対し遊技者が位置するべき側を前方側、それとは反対側（即ち、遊技機１奥側）を後方側とする。また、遊技領域４ａを遊技球が流下する方向（鉛直方向）を上下方向とする。また、上記「前後方向」及び「上下方向」と直交する方向を左右方向とし、遊技機１前方側から見て左側を左方向、右側を右方向とする。
【００３５】
作動口５ａ，５ｂは、遊技領域４ａを流下する遊技球を入球させて、入球した遊技球を検出するように機能する。作動口５ａ，５ｂは、入球した遊技球を検出すると、図示しない制御装置（ＣＰＵやメモリ等を備えた装置）に球検知信号を送信する。作動口５ａ，５ｂから球検知信号を受信した制御装置は、所定個数の賞球の払い出しの制御と、後述する電動チューリップ９の開放動作の制御を行う。なお、作動口５ａに遊技球が入球した場合、電動チューリップ９の羽根９ａの開放動作が１回行われ、作動口５ｂに遊技球が入球した場合、電動チューリップ９の羽根９ａの開放動作が２回行われる。
【００３６】
電動チューリップ９は、図示しない電気的駆動源（例えばソレノイド）の動作に応じて、遊技球が入賞口９ｂに入賞し易い状態と、遊技球が入賞口９ｂに入賞し難い状態とに変化するように羽根９ａが開閉する構成である。遊技領域４ａを流下して入賞口９ｂに入り込んだ遊技球は、図示しない球検出センサで入球が検出されて、排出流路１１を介して、役物装置２０の上方に排出されるようになっている。排出流路１１は、管状に構成され、電動チューリップ９に入賞した遊技球を役物装置２０に導くように機能する。
【００３７】
以下、役物装置２０について詳しく説明する。
図２に示す役物装置２０は、球受け部材７０に受けられた遊技球を球送出部材８０が回転することによって、球受け部材７０の外方の枠部材４０に送り出し、入球口４２に入球させるように動作する装置である。役物装置２０は、図３、図４に示すように、ベース部材３０と、枠部材４０と、リンク部材５０と、昇降部材６０と、球受け部材７０と、球送出部材８０と、を備えている。以下、役物装置２０を構成する部材について詳しく説明する。
【００３８】
ベース部材３０は、図２に示すように、役物装置２０を構成する他の部材を支持する土台として構成され、遊技領域４ａにおける中央役物１２の開口凹部１２ａに固定されている（図１参照）。ベース部材３０は、図３、図４に示すように、略円筒状であり、主に、ベース部材３０の外殻を構成する外筒状部３１と、外筒状部３１の内側に位置する内筒状部３２と、外筒状部３１と内筒状部３２を跨ぐ略リング板状の上壁部３３と、内筒状部３２の底壁部３４と、一部が後述する球通路３０ｄを構成するカバー部材３５と、から構成されている。外筒状部３１は、内筒状部３２と上壁部３３を介して連なっている。具体的には、外筒状部３１の上端が上壁部３３の外縁につながり、内筒状部３２の上端が上壁部３３の内縁につながっている。底壁部３４は、内筒状部３２の下側の開放部分を、下端よりも僅かに上方の位置で閉塞するように形成されている。カバー部材３５は、図８に示すように、内筒状部３２における底壁部３４よりも下方の開放部分を閉塞している。
【００３９】
ベース部材３０は、図３に示すように、上壁部３３の上面から周方向の一部を除いて上方に立ち上がる支持周壁部３０ａと、底壁部３４の略中心位置から上方に立ち上がる円筒形状の軸受部３０ｂと、後述するモータ３６の駆動軸３６ｂが臨む挿通孔３０ｃ（図４参照）と、球通路３０ｄ（図４参照）と、後述するモータ３７の駆動軸３７ｂが臨む挿通孔３０ｅ（図９参照）と、外筒状部３１の周壁に球通路３０ｄと連通するように開口した球排出口３０ｆと、が形成されている。支持周壁部３０ａには、図３に示すように、所定の間隔（中心周りに１２０°等配）で上方に開放するスリット３０ｇが形成されており、後述する昇降部材６０の昇降をガイドする。軸受部３０ｂは、図８、図９に示すように、下端は底壁部３４の下方側に開放されている。挿通孔３０ｃは、図４、図８に示すように、底壁部３４において、軸受部３０ｂよりも外側の位置で壁厚方向に貫通する孔である。球通路３０ｄは、図８に示すように、後述するカバー部材３５の傾斜板部３５ｂとともに、内筒状部３２の上端付近から、球排出口３０ｆへと径方向に延びる通路を構成している。挿通孔３０ｅは、図９に示すように、上壁部３３において、壁厚方向に貫通する孔である。球排出口３０ｆは、外筒状部３１の下端において、四角形状に切り欠かれて形成されている。
【００４０】
カバー部材３５は、図３、図４に示すように、外縁の一部が径方向に突出した略円板状に形成され、円形の板状部３５ａと、傾斜板部３５ｂと、を備えている。板状部３５ａは、内筒状部３２の下側の開放部分を閉塞している。板状部３５ａの中心には、後述する球送出部材８０の回転軸８４に第２ギヤ３６ｄをビス着するための円形の貫通孔３５ｃが形成されている。板状部３５ａにおける貫通孔３５ｃよりも外側には、後述する第１ギヤ３６ｃの軸部が臨む円形の貫通孔３５ｄが形成されている。傾斜板部３５ｂは、上面が外側に向かうにつれて低位置となるように傾斜している。
【００４１】
ベース部材３０は、図８に示すように、モータ３６を内筒状部３２内に収容するとともに、図９に示すように、モータ３７を外筒状部３１と内筒状部３２の間に収容している。モータ３６は、公知のモータとして構成されている。具体的には、モータ３６は、駆動力を発生させる本体部３６ａと、本体部３６ａの動作によって回動軸線Ｇ１（図８参照）回りに回動する駆動軸３６ｂと、を備えている。本体部３６ａは、図８に示すように、底壁部３４上に下向き配置され、駆動軸３６ｂが挿通孔３０ｃに挿通されている。駆動軸３６ｂは、第１ギヤ３６ｃが組み付けられている。第１ギヤ３６ｃは、貫通孔３５ｄに一部が挿通した状態で、底壁部３４と板状部３５ａの間に収容されている。第２ギヤ３６ｄは、後述する球送出部材８０の回転軸８４の先端に組付けられ、第２ギヤ３６ｄの軸部が貫通孔３５ｃに臨んだ状態で、底壁部３４と板状部３５ａの間に収容されている。
【００４２】
モータ３７は、正逆回転する公知のモータとして構成されている。モータ３７は、図３、図４に示すように、駆動力を発生させる本体部３７ａと、本体部３７ａの動作によって回動軸線Ｇ２（図９参照）回りに回動する駆動軸３７ｂと、を備えている。本体部３７ａは、図９に示すように、上壁部３３の下面に上向き状態で固定され、駆動軸３７ｂが挿通孔３０ｅに挿通されている。駆動軸３７ｂは、第３ギヤ３７ｃが組み付けられている。第３ギヤ３７ｃは、上壁部３３と後述するリンク部材５０の間に配置されている。
【００４３】
枠部材４０は、図３、図４に示すように、円形リング状であり、円形リング状の通路部４１と、通路部４１に形成された入球口４２と、円形リング状の壁部である周壁部４３と、を備えている。通路部４１は、上方が開放された球通路である。入球口４２は、通路部４１の外周部分の所定位置において外側に開口する開口部分である。通路部４１を構成する底壁部は、入球口４２に向かって低位置となるように傾斜している。周壁部４３は、周方向に沿うように、通路部４１の下面から下方に延出する壁部である。枠部材４０は、図８に示すように、周壁部４３がベース部材３０の支持周壁部３０ａを囲うように上壁部３３上に固定されている。
【００４４】
リンク部材５０は、図３、図４に示すように、筒状の周壁部５１と、周壁部５１の上端から外側に張り出す上張出部５２と、周壁部５１の下端から内側に張り出す下張出部５３と、上張出部５２の所定位置から外側に突出する３つの突出部５４と、を備えている。３つの突出部５４は、上張出部５２の外周面において、中心周りに１２０°等配で形成される突起である。リンク部材５０は、突出部５４の内側から周壁部５１を下方に沿って延びるように切り欠かれ、さらに周壁部５１の周方向に沿って切り欠かれたガイド溝５５が形成されている。ガイド溝５５は、図６に示すように、周壁部５１の周方向の一方側（上方から見て時計回り側）に向かうにつれて低位置となる傾斜部５５ａを備えている。下張出部５３の下面の一部（ガイド溝５５の長さと同じ程度の長さ部分）には、図４に示すように、周方向に沿って外向きの歯部が並ぶギヤ部５６が形成されている。リンク部材５０は、図８に示すように、ベース部材３０の支持周壁部３０ａ内に配置され、上張出部５２が支持周壁部３０ａ上に位置するようにして、上壁部３３の上面に周設されたリブ３３ａによって回転自在に支持されている。
【００４５】
昇降部材６０は、図３、図４に示すように、主に、球受け部材７０を支持する擂鉢状の支持部６３の中央に円筒状の窪部６１が形成され、その中心を上下に貫くように内筒部６２が形成されている。内筒部６２は、図８、図９に示すように、軸受部３０ｂが挿通される。窪部６１の周壁面の所定位置には、遊技球が通過可能な開口が形成され、窪部６１の底部は開口に向かって下傾している。また、開口に連通するように窪部６１の径方向外側且つ下側に突出する通路部６４が形成されている。通路部６４は、図８に示すように、ベース部材３０の球通路３０ｄに連通する。支持部６３には、外縁の所定位置から垂下する３つの延出片６５が形成されている。３つの延出片６５は、支持部６３の外周において、中心周りに１２０°等配で形成される。延出片６５には、外側に突出する被ガイド部６６が形成されている。各被ガイド部６６は、図５、図６に示すように、リンク部材５０の各ガイド溝５５に挿通され、ガイド溝５５（具体的には、傾斜部５５ａ）によってガイドされる。
【００４６】
球受け部材７０は、図３、図４に示すように、平面視円形のすり鉢状の皿形をしており、排出流路１１から排出された遊技球を受ける構成である（図８（Ａ）参照）。球受け部材７０は、中央側から外側に向かうにつれて高位置となる傾斜状（実施例では約３０度の傾斜角度）の球受け面７１と、球受け面７１の外縁に連なる周壁部７２と、を備えている。球受け面７１は、言い換えれば周縁から略中央（底部）に向かって下傾するように凹んでおり、底部には、昇降部材６０の窪部６１と連通する円形の球落下口７５が形成されている。球受け部材７０は、図８、図９に示すように、例えばネジ等によって昇降部材６０に固定されており、昇降部材６０と共にリンク部材５０の稼動により昇降する。
【００４７】
球受け面７１には、図７に示すように、底部（球落下口７５の縁部）から球受け部材７０の外縁（開放端部）に向かって延びるように遊技球の一部が嵌まる浅溝状の第１案内路７３および第２案内路７４が形成されている。本実施形態１では、球受け面７１に、２つの第１案内路７３、および４つの第２案内路７４が形成されている。第１案内路７３および第２案内路７４は、球受け部材７０の外縁（開放端部）に遊技球を送り出す送出端部７３ｃ，７４ｃがそれぞれ形成されている。第１案内路７３および第２案内路７４は、遊技球の送り方向（図７では時計回り側）とは反対側（図７では反時計回り側）に向かって凸となる湾曲放射状である。すなわち、第１案内路７３および第２案内路７４は、時計回りに進むにつれて外方に向かう構成である。第１案内路７３および第２案内路７４は、それぞれの遊技球の送り側とは反対側の縁部７３ｂ，７４ｂが曲面形状である。すなわち、縁部７３ｂ，７４ｂは、球受け面７１に対して滑らかに連なっている。第１案内路７３は、遊技球の送り側の縁部７３ａが遊技球の外れ難い角形状である。すなわち、縁部７３ａは、球受け面７１とともに角部を構成している。一方で、第２案内路７４は、遊技球の送り側の縁部７４ｂが第１案内路７３よりも遊技球の外れ易い曲面形状である。すなわち、縁部７４ｂは、球受け面７１に対して滑らかに連なっている。なお、第１案内路７３および第２案内路７４は、球受け面７１の底部（球落下口７５の縁部）から、球落下口７５を中心として９０度回転した外縁に向かって長く形成され、遊技者が少しでも長く溝部を遊技球が移動するのを楽しめるようにしている。また、第１案内路７３および第２案内路７４を、球落下口７５から外方に向かう方向において重なるように設けることで、遊技球が第１案内路７３または第２案内路７４から外れて球落下口７５に向かっても隣設する第１案内路７３または第２案内路７４に再度嵌まり、外方の枠部材４０に送られるチャンスを得ることができる。
【００４８】
球送出部材８０は、図３、図４に示すように、球受け部材７０の球受け面７１に受けられた遊技球を球受け部材７０の外方に送り出すように機能する。球送出部材８０は、図３、図４に示すように、略円柱形状の本体部８１と、球受け部材７０の外方に遊技球を送り出す第１作用片８２および第２作用片８３と、回転軸８４と、を備えている。本実施形態１では、球送出部材８０は、１つの第１作用片８２、および２つの第２作用片８３を備えている。第１作用片８２および第２作用片８３は、本体部８１の外周から外方に湾曲放射状に延出し、遊技球の送り側（回転方向、図７では時計回り）に凸となる湾曲状の羽根である。第１作用片８２および第２作用片８３は、球受け部材７０の球受け面７１に略平行となるように外方に向かうにつれて回転軸８４と離れる方向（上向き方向）に傾斜している。第１作用片８２および第２作用片８３は、本体部８１の周方向に１２０°等配で形成されている。第１作用片８２は、図７に示すように、球送出部材８０に対して遊技球を滞留させるように支持する２つの支持段部８２ａが形成されている。支持段部８２ａは、遊技球の送り側とは反対側に凹となる湾曲状部分である。２つの支持段部８２ａは、第１作用片８２の先端側において、先端側から基端側に並んで形成されている。第２作用片８３は、支持段部８２ａのような部分が形成されておらず、滑らかに湾曲している。第１作用片８２および第２作用片８３は、図２、図８に示すように、球受け面７１に略平行となるように配置されている。
【００４９】
回転軸８４は、図３、図４に示すように、細長い円柱状で、本体部８１の一方面（図３、図４では下面）の中心から延出している。回転軸８４は、図８、図９に示すように、軸受部３０ｂに挿通して軸受けされている。球送出部材８０の中心軸（回転軸８４の中心軸）と球受け部材７０の中心軸（球落下口７５を通る中心軸）は、同軸上に位置する。本体部８１の上部にはドーム状のキャップ８５が嵌め込まれており、本体部８１と回転軸８４とを固着するビスを隠蔽している。また、本体部８１には、球落下口７５と球送出部材８０（本体部８１）との間隙の一部を閉鎖し、球落下口７５から遊技球が落下することを阻止する阻止片８６を備えている。阻止片８６は、本体部８１における一方面側の縁の一部から下方に延出する壁部である。阻止片８６は、第１作用片８２の基端部付近から、隣の第２作用片８３の基端部付近に亘って形成されている。
【００５０】
次に、球受け部材７０の昇降動作について説明する。
球受け部材７０は、図６（Ａ）（Ｂ）に示すように、昇降動作を行う。具体的には、図６（Ａ）に示すように、被ガイド部６６がガイド溝５５内の傾斜部５５ａの上端付近に位置する状態において、被ガイド部６６が傾斜部５５ａに支持されることで、昇降部材６０および球受け部材７０が上昇位置に位置している。図６（Ａ）に示す状態から、モータ３７が図５矢印Ａに示す第１回転方向（上方から見て時計回りの回転方向）に回転すると、駆動軸３７ｂに固定された第３ギヤ３７ｃも第１回転方向に回転することになる。第３ギヤ３７ｃが第１回転方向に回転すると、第３ギヤ３７ｃに噛み合っているギヤ部５６が第２回転方向（上方から見て反時計回りの回転方向）に回転することになる。ギヤ部５６が第２回転方向に回転するように作用を受けることで、リンク部材５０が第２回転方向に回転力を付与されることになる。すると、リンク部材５０は、支持周壁部３０ａを中心として第２回転方向に回転する。被ガイド部６６は、図６（Ｂ）に示すように、傾斜部５５ａに沿って傾斜部５５ａの下端位置まで移動することになる。これにより、図８（Ｂ）に示すように、球受け部材７０がリンク部材５０に対して下方に移動して下降位置に位置し、球送出部材８０と球受け面７１（球落下口７５の開口端）との間隙が、球落下口７５から遊技球が落下可能となる開放状態となる。
【００５１】
そして、図６（Ｂ）に示す状態から、モータ３７が図５矢印Ｂに示す第２回転方向に回転すると、駆動軸３７ｂに固定された第３ギヤ３７ｃも第２回転方向に回転することになる。第３ギヤ３７ｃが第２回転方向に回転すると、第３ギヤ３７ｃに噛み合っているギヤ部５６が第１回転方向に回転することになる。ギヤ部５６が第１回転方向に回転するように作用を受けることで、リンク部材５０が第１回転方向に回転力を付与されることになる。すると、リンク部材５０は、支持周壁部３０ａを中心として第１回転方向に回転する。被ガイド部６６は、図６（Ａ）に示すように、傾斜部５５ａに沿ってガイド溝５５（傾斜部５５ａ）の上端位置まで移動することになる。これにより、球受け部材７０がリンク部材５０に対して上方に移動して上昇位置に位置し、球送出部材８０と球受け面７１（球落下口７５の開口端）の間隙が、球落下口７５から遊技球が落下不能となる閉鎖状態となる。以上のようなモータ３７の正逆動作を繰り返すことによって、球受け部材７０は、ベース部材３０に回転自在に組み付けられた球送出部材８０に対して、昇降動作を行なう。このとき、被ガイド部６６はベース部材３０のスリット３０ｇ内を上下するため、球受け部材７０は回転することなく昇降動作のみを行う。なお、実施例においては、リンク部材５０の回転制御は、モータ３７のステップ数を制御して行っているが、リンク部材５０の回転位置又は球受け部材７０（リンク部材５０）の昇降位置をセンサで検知して、モータ３７を正逆させるようにしてもよい。
【００５２】
次に、役物装置２０の回転動作について説明する。
球送出部材８０は、図７に示すように、球受け部材７０に対して回転動作を行なう。具体的には、モータ３６が図５矢印Ｃに示す第２回転方向に回転すると、駆動軸３６ｂに固定された第１ギヤ３６ｃも第２回転方向に回転することになる。第１ギヤ３６ｃが第２回転方向に回転すると、第１ギヤ３６ｃに噛み合っている第２ギヤ３６ｄが図５矢印Ｄに示す第１回転方向に回転することになる。第２ギヤ３６ｄが第１回転方向に回転することで、第２ギヤ３６ｄが固定されている回転軸８４が第１回転方向に回転作用を受ける。そして、球送出部材８０は、球受け部材７０に対して、回転軸線Ｇ３（図８参照）を中心に第１回転方向（図７では時計回り）に回転することになる。第１作用片８２および第２作用片８３は、球受け面７１に略平行な状態で球受け面７１に沿って回転する。この時のモータ３６の回転速度は、例えば１００ｐｐｓ（ｐｕｌｓｅ  ｐｅｒ  ｓｅｃ）となるように制御されており、遊技者が球送出部材８０により送られる遊技球の動きを楽しむように球送出部材８０をゆっくり回転させるようにしている。
【００５３】
次に、役物装置２０による遊技球の球送り動作について説明する。
まず、作動口５ａ，５ｂへの入賞により電動チューリップ９の羽根９ａが所定回数開放し、遊技領域４ａを流下して入賞口９ｂに入り込んだ遊技球は、図８（Ａ）に示す遊技球Ｂ１のように、排出流路１１を介して役物装置２０の上方に排出され、球受け面７１に受けられる。ここで、上述したように球受け部材７０が球送出部材８０に対して昇降動作を行うことで、図８に示すように、遊技球が球落下口７５に落下可能な状態と落下不能な状態とに変化することになる。具体的には、役物装置２０は、図８（Ａ）に示すように、球受け部材７０が上昇位置に位置する場合、球送出部材８０（より具体的には、本体部８１における一方面（図８では下面）側の縁）と球受け面７１（球落下口７５の開口端）の間隙Ｓ１が遊技球の直径よりも小さくなる。これにより、役物装置２０は、間隙Ｓ１から球落下口７５に遊技球が落下不能である閉鎖状態となる。例えば、図８（Ａ）に示す遊技球Ｂ５は、間隙Ｓ１から球落下口７５に落下せず、その後、球送出部材８０によって球受け部材７０から送り出されることになる。
【００５４】
一方で、役物装置２０は、図８（Ｂ）に示すように、球受け部材７０が下降位置に位置する場合、間隙Ｓ１が遊技球の直径よりも大きくなる。これにより、球受け部材７０および球送出部材８０は、間隙Ｓ１から球落下口７５に遊技球が落下可能である開放状態となる。例えば、図８（Ｂ）に示す遊技球Ｂ５は、間隙Ｓ１から球落下口７５に落下する。その後、遊技球Ｂ５は、窪部６１から通路部６４および球通路３０ｄを通過して、例えば外れ口として構成される球排出口３０ｆから外れ球として排出される。
【００５５】
なお、球受け部材７０および球送出部材８０は、図９（Ｂ）に示すように、間隙Ｓ１が遊技球の直径よりも大きくなる開放状態となっていても、その間隙Ｓ１の一部を阻止片８６によって球落下口７５に遊技球が落下することを阻止する構成となっている。すなわち、阻止片８６は、球受け部材７０および球送出部材８０が開放状態であるときに、球送出部材８０と球受け面７１（球落下口７５の開口端）の間隙の一部を閉鎖して間隙Ｓ２を形成する。例えば、図９（Ａ）に示すように、球受け部材７０および球送出部材８０が閉鎖状態にあるときに、遊技球Ｂ６は、間隙Ｓ１を介して球落下口７５から落下しない。そして、図９（Ｂ）に示すように、球受け部材７０および球送出部材８０が閉鎖状態にあるときに、遊技球Ｂ６は、遊技球の直径よりも大きくなった間隙Ｓ１を介して球落下口７５から落下する。しかしながら、阻止片８６と球落下口７５との間隙Ｓ２は、遊技球の直径よりも小さくなるため、間隙Ｓ２から遊技球Ｂ７が球落下口７５に落下しない。
【００５６】
球送出部材８０と球落下口７５の間隙を介して球落下口７５から落下しない遊技球は、球送出部材８０（具体的には、第１作用片８２または第２作用片８３）によって球受け部材７０の外方に送り出される。例えば、図７（Ａ）に示すように、球受け面７１に受けられた遊技球Ｂ２は、第１作用片８２によって、球受け部材７０の外方に送り出される。遊技球Ｂ２は、第１案内路７３に一部が嵌まり込んで、底部（球落下口７５の縁部）から送出端部７３ｃまで第１案内路７３に沿うように案内されて送り出される。これにより、遊技球Ｂ２は、第１案内路７３に沿った移動経路で安定的に送り出される。特に、第１作用片８２は、２つの支持段部８２ａのいずれかに遊技球を滞留させることで、遊技球を枠部材４０（入球口４２）に向かってより一層安定的に送り出すことができる。図７（Ｂ）に示すように、第１作用片８２によって球受け部材７０から枠部材４０に送り出された遊技球Ｂ３は、図７（Ｂ）に示す遊技球Ｂ３のように、枠部材４０の通路部４１を入球口４２に向かって前方に転がり、入球口４２に入球する。入球口４２に入球した遊技球は、特別入賞口１３（図１参照）に入球し、大入賞口６が開放する大当たり状態となる。
【００５７】
また、例えば、図７（Ａ）に示すように、球受け面７１に受けられた遊技球Ｂ４は第２作用片８３によって、球受け部材７０の外方に送り出される。遊技球Ｂ４は、第２案内路７４に一部が嵌まり込んで、図７（Ａ）に示す位置から図７（Ｂ）に示す位置への移動のように、第２案内路７４に沿うように案内されて送り出される。具体的には、遊技球Ｂ４は、底部（球落下口７５の縁部）から送出端部７４ｃまで第２案内路７４に沿うように案内されて送り出される。これにより、遊技球Ｂ４は、第２案内路７４に沿った移動経路で枠部材４０に送り出される。第２作用片８３によって球受け部材７０から送り出された遊技球Ｂ４は、図７（Ｂ）に示す遊技球Ｂ３のように、枠部材４０の通路部４１を入球口４２に向かって前方に転がり、入球口４２に入球する。入球口４２に入球した遊技球は、図１に示すように、特別入賞口１３に入球し、大入賞口６が開放する大当たり状態となる。
【００５８】
このように、球送出部材８０によって遊技球が第１案内路７３又は第２案内路７４に沿って送り出されることで、遊技球は、球受け面７１の傾斜に逆らって球受け部材７０の外方に移動していくことになる。そのため、遊技球は、周縁から略中央に向かって傾斜するように凹む球受け面７１において、通常想定される移動方向（球受け面７１の傾斜に沿って自重で流下する移動方向）とは異なる移動方向に移動するため、動きに意外性を持たせることができる。そして、このような意外性のある動きで遊技球が入球口４２に送り出されるため、入球口４２に至る過程に面白みを与えることができる。したがって、遊技球の移動方向に意外性を持たせるとともに、面白みを生じさせ得る役物装置２０を実現することができる。
【００５９】
第１案内路７３および第２案内路７４は、図７に示すように、遊技球の送り側（図７では時計回り側）とは反対側に向かって凸となる湾曲放射状である。これにより、遊技球の送り方向（図７では時計回り）に対して滑らかに傾斜する形状であるため、遊技球の送り方向に対して直交するような形状（径方向に延びる放射形状）に比べて、遊技球の送り方向に遊技球を外し出すような作用が生じ難くなる。そのため、第１案内路７３および第２案内路７４に沿って安定して遊技球を送り出すことができる。
【００６０】
なお、第１案内路７３における遊技球の送り側の縁部７３ｂは、遊技球の外れ難い角形状であるため、縁部７４ｂが曲面形状である第２案内路７４と比べて、第１作用片８２によって送出端部７３ｃから送り出され易くなっている。そのため、第１案内路７３又は第２案内路７４のいずれかに遊技球が嵌まるかによって、遊技球が入球口４２に入球する期待感を変化させて、演出効果を高めることができる。
【００６１】
また、第１作用片８２および第２作用片８３は、図２、図８に示すように、球受け面７１に略平行となるように配置されているため、第１作用片８２および第２作用片８３が球受け面７１に沿うように遊技球を送り出すことができる。そのため、球受け面７１に対する第１作用片８２および第２作用片８３の位置が安定した状態で維持され、第１作用片８２および第２作用片８３によって遊技球を安定して送り出すことができる。
【００６２】
また、第１作用片８２および第２作用片８３は、本体部８１の外周から外方に湾曲放射状に延出し、遊技球の送り側（回転方向、図７では時計回り）に凸となる湾曲状の羽根である。そのため、第１作用片８２および第２作用片８３は、遊技球の送り方向に対して滑らかに傾斜しつつ、遊技球の送り側とは反対側で外方に向く形状となるため、遊技球の送り方向に対して直交するような形状に比べて、第１案内路７３および第２案内路７４から遊技球の送り方向に遊技球を外し出すような作用が生じ難い状態で外方に送り出し易くなる。したがって、遊技球を第１案内路７３および第２案内路７４に沿って安定して送り出すことができる。特に、図７に示すように、第１案内路７３および第２案内路７４が、遊技球の送り側（図７では時計回り側）とは反対側に向かって凸となる湾曲放射状であるため、第１作用片８２および第２作用片８３が、常に第１案内路７３および第２案内路７４に対して略直交するように交わる構成となる。そのため、第１案内路７３および第２案内路７４から遊技球の送り方向に遊技球を外し出すような作用が、非常に生じ難い状態で遊技球を枠部材４０に向かって外方に送り出すことができる。
【００６３】
（第１実施形態の主な効果）
本第１実施形態の役物装置２０及び遊技機１は、球受け部材７０において周縁から略中央に向かって傾斜するように凹む球受け面７１に受けられた遊技球が、球送出部材８０によって球受け部材７０の外方に送り出される構成である。これにより、遊技球は、球受け面の傾斜に逆らって球受け部材７０の外方に移動していくことになる。そのため、遊技球は、周縁から略中央に向かって傾斜するように凹む球受け面７１において、通常想定される移動方向（球受け面７１の傾斜に沿って自重で流下する移動方向）とは異なる移動方向に移動するため、動きに意外性を持たせることができる。そして、このような意外性のある動きで遊技球が入球口４２に送り出されるため、入球口４２に至る過程に面白みを与えることができる。したがって、遊技球の移動方向に意外性を持たせるとともに、面白みを生じさせ得る役物装置２０および遊技機１を実現することができる。
【００６４】
また、役物装置２０は、球受け面７１の底部に球落下口７５が設けられている。球受け部材７０および球送出部材８０は、球受け部材７０または球送出部材８０の少なくとも一方が上下動することによって、球受け面７１と球送出部材８０との間隙が遊技球が通過可能な間隔に拡開して球落下口７５から遊技球が落下可能となる開放状態と、球受け面７１と球送出部材８０との間隙が球送出部材８０により遊技球が受け止められ球落下口７５から遊技球が落下不能となる閉鎖状態と、に変化する。
これによれば、球受け部材７０および球送出部材８０が上下動することによって、球受け面７１と球送出部材８０との間隙が遊技球が通過可能な間隔に拡開して球落下口７５から遊技球が落下可能となる開放状態となることで、球受け面７１の底部に流下してきた遊技球は、球送出部材８０によって外方に送り出される前に、球落下口７５から落下することになる。一方で、球受け部材７０および球送出部材８０は、球受け面７１と球送出部材８０との間隙が球送出部材８０により遊技球が受け止められ球落下口７５から遊技球が落下不能となる閉鎖状態となることで、落下を回避した遊技球に対して球送出部材８０によって球受け部材７０の外方に送り出す機会を与えることができる。したがって、球受け部材７０および球送出部材８０は、開放状態と閉鎖状態との間で変化することによって、入球口４２への入球の期待感を変化さえることができ、演出効果を高めることができる。
【００６５】
また、球送出部材８０は、球受け部材７０および球送出部材８０が開放状態であるときに、球受け面７１と球送出部材８０との間隙の一部を閉鎖し、球落下口７５から遊技球が落下することを阻止する阻止片８６を有する。
これによれば、球受け部材７０および球送出部材８０が開放状態であっても、阻止片８６によって球落下口７５から遊技球が落下することを阻止することができる。そのため、球受け部材７０および球送出部材８０の間隙が遊技球が球落下口７５から落下し得る状態であっても、阻止片８６によって落下することを阻止された遊技球を球送出部材８０によって球受け部材７０の外方（入球口４２）に送り出す機会を与えることができる。したがって、演出効果をより一層高めることができる。
【００６６】
また、球受け部材７０は、球受け面７１における底部から、遊技球を枠部材４０に送り出す送出端部７３ｃ，７４ｃにそれぞれ向かって遊技球の一部が嵌まる浅溝状の第１案内路７３および第２案内路７４を有する。
これによれば、球送出部材８０によって遊技球を球受け部材７０の外方（枠部材４０）に送り出す際に、遊技球の一部が第１案内路７３又は第２案内路７４に嵌まることで、遊技球が底部から球受け部材７０の開放端部まで第１案内路７３又は第２案内路７４に沿うように案内されて送出端部７３ｃ又は送出端部７４ｃから枠部材４０に送り出されることになる。そのため、第１案内路７３又は第２案内路７４に沿って所望の移動経路で安定的に遊技球を送り出すことができる。
【００６７】
また、球受け部材７０は、複数の案内路を有している。案内路は、球送出部材８０により遊技球が送られる側の縁部７３ａが溝部から遊技球が外れ難い角形状である第１案内路７３と、遊技球が送られる側の縁部７４ａが第１案内路７３よりも遊技球が外れ易い曲面形状である第２案内路７４と、を含む。
これによれば、遊技球が第１案内路７３に沿って底部から送出端部７３ｃ（球受け部材７０の開放端部）まで案内されて送り出される場合に、遊技球が第１案内路７３から外れ難いため、遊技球が入球口４２に入球する期待感を高めることができる。一方で、遊技球が第２案内路７４に沿って底部から送出端部７４ｃ（球受け部材７０の開放端部）まで案内されて送り出される場合に、第１案内路７３に案内されて送り出されるより遊技球が第２案内路７４から外れ易いため、遊技球が入球口４２に入球するドキドキ感を高めることができる。したがって、第１案内路７３又は第２案内路７４のいずれかに遊技球が嵌まるかによって、遊技球が入球口４２に入球する確率を変化させて、演出効果を高めることができる。
【００６８】
また、第１案内路７３又は第２案内路７４は、遊技球の送り方向とは反対側に向かって凸となる湾曲放射状である。
これによれば、第１案内路７３又は第２案内路７４は、遊技球の送り方向に対して滑らかに傾斜する形状となるため、遊技球の送り方向に対して直交するような形状に比べて、遊技球の送り方向に遊技球を外し出すような作用が生じ難くなる。そのため、第１案内路７３又は第２案内路７４に沿って遊技球を安定して送り出すことができる。
【００６９】
また、球送出部材８０は、遊技球を送り出す第１作用片８２および第２作用片８３を備え、第１作用片８２および第２作用片８３が球受け面７１に略平行となるように配置されている。
これによれば、第１作用片８２および第２作用片８３が球受け面７１に略平行となるように配置されることで、第１作用片８２および第２作用片８３が球受け面７１に沿うように遊技球を送り出すことができる。そのため、球受け面７１に対する第１作用片８２および第２作用片８３の位置が安定した状態で維持され、第１作用片８２および第２作用片８３によって遊技球を安定して送り出すことができる。
【００７０】
また、第１作用片８２および第２作用片８３は、遊技球の送り方向に凸となる湾曲状である。
これよれば、第１作用片８２および第２作用片８３は、遊技球の送り方向に対して滑らかに傾斜しつつ、遊技球の送り方向とは反対側で外方に向く形状となるため、遊技球の送り方向に対して直交するような形状に比べて、第１案内路７３および第２案内路７４から遊技球の送り方向に遊技球を外し出すような作用が生じ難い状態で外方に送り出し易くなる。したがって、遊技球を第１案内路７３又は第２案内路７４に沿って安定して送り出すことができる。
【００７１】
また、第１作用片８２は、球送出部材８０に対して遊技球を滞留させるように支持する支持段部８２ａを具備している。
これによれば、支持段部によって球送出部材８０に対して遊技球を滞留させる状態にすることで、遊技球が作用片から離れ難くなり、球送出部材８０によって遊技球を安定して送り出すことができる。
【００７２】
また、球送出部材８０は、複数の作用片を有している。複数の作用片は、支持段部８２ａを具備する第１作用片８２と、支持段部８２ａを具備しない第２作用片８３と、を含んでいる。
これによれば、第１作用片８２によって遊技球を送り出す場合には、支持段部８２ａに遊技球を滞留させることで、遊技球を安定して球受け部材７０から送り出すことができる。一方で、第２作用片８３によって遊技球を送り出す場合には、支持段部を利用しないため、第１作用片８２と比して遊技球を球受け部材７０から送り出す安定感に差ができる。したがって、第１作用片８２又は第２作用片８３のいずれで遊技球を送り出すかによって、遊技球の送り出しにおける安定度が異なるため、ゲーム性をより一層高めることができる。
【００７３】
[第２実施形態]
次に、第２実施形態について説明する。
第２実施形態の役物装置は、球送出部材の構成が主に第１実施形態の役物装置２０と異なっている。したがって、第１実施形態と同一の部分については第１実施形態と同一の符号を付し、適宜、図１〜９を参照し、詳細な説明は省略する。
【００７４】
第２実施形態の球送出部材２８０は、図１０に示すように、球受け面７１の底部（球落下口７５）に近づく遊技球に接触して拡散させる４つの接触片２８７を備えている。接触片２８７は、本体部８１の外周面から径方向に突出する板片である。接触片２８７は、第１実施形態と同様に、球送出部材２８０が球受け部材７０に組み付けられた状態において、球受け部材７０の球受け面７１の底部（球落下口７５）の近傍に位置する部位に形成されている。このような構成によって、球受け面７１の底部（球落下口７５）の近傍に流下してきた遊技球を、接触片２８７が接触して拡散させて球受け面７１の底部（球落下口７５）よりも上方に移動させることで、球落下口７５から落下しそうな遊技球を再度球送出部材２８０によって球受け部材７０の外方に送り出す機会を与えることができる。これにより、ゲーム性をより一層高めることができる。
【００７５】
[第３実施形態]
次に、第３実施形態について説明する。
第２実施形態の球送出部材２８０は、４つの接触片２８７を備えていたが、図１１に示す第３実施形態の球送出部材３８０のように、接触片２８７よりもサイズの大きな接触片３８７を２つ備える構成であってもよい。具体的には、第３実施形態の球送出部材２８０は、接触片３８７が、本体部８１の外周面において一方の第２作用片８３の近傍から他方の第２作用片８３の近傍に亘って、略円弧状で径方向に突出する板片である。
【００７６】
[第４実施形態]
次に、第４実施形態について説明する。
第２実施形態の球送出部材２８０は、板片状の接触片２８７を備えていたが、図１２に示す第４実施形態の球送出部材４８０のように、突起形状の接触片４８７を備える構成であってもよい。具体的には、第４実施形態の接触片４８７は、本体部８１の外周面において一方の第２作用片８３の近傍から他方の第２作用片８３の近傍に亘って、略円弧状で外方に湾曲放射状に延出している。すなわち、接触片４８７は、遊技球の送り側（回転方向、図１２（Ｂ）では時計回り）に凸となる湾曲状の羽根である。
【００７７】
［他の実施形態]
本発明は上記記述及び図面によって説明した実施形態に限定されるものではなく、例えば次のような実施形態も本発明の技術的範囲に含まれる。
【００７８】
上述した第１実施形態において、球送出部材８０が回転することで、回転しない球受け部材７０から遊技球が送り出される構成であったが、球受け部材７０が回転することで、回転しない球送出部材８０によって球受け部材７０から遊技球が送り出される構成であってもよい。例えば、球送出部材８０がベース部材３０に固定されており、モータによる駆動によって球受け部材７０がベース部材３０等に対して回転するような構成であってもよい。また、球送出部材８０および球受け部材７０が両方回転する構成であってもよい。
【００７９】
上述した第１実施形態では、球受け部材７０が球送出部材８０に対して昇降動作を行なうことで、球送出部材８０と球受け面７１（球落下口７５の開口端）の間隙が、遊技球が球落下口７５から落下可能な状態と落下不能な状態とに変化する構成であった。しかしながら、球送出部材８０が球受け部材７０に対して昇降動作を行なうことで、球送出部材８０と球受け面７１（球落下口７５の開口端）の間隙が、遊技球が球落下口７５から落下可能な状態と落下不能な状態とに変化する構成であってもよい。
【００８０】
上述した第１実施形態では、球受け部材７０に２つの第１案内路７３、および４つの第２案内路７４が形成されている構成を示したが、案内路の数や組合せのパターンは、この構成以外であってもよい。例えば、図１３に示すように、球受け部材２７０に、第２案内路７４と同様の構成の第２案内路５７４が３つ形成されるような構成であってもよい。
【００８１】
上述した第１実施形態では、球送出部材８０が、１つの第１作用片８２、および２つの第２作用片８３を備えている構成を示したが、案内路の数や組合せのパターンは、この構成以外であってもよい。
【００８２】
上述した第１実施形態では、球送出部材８０によって球受け部材７０から送り出された遊技球が、通路部４１を介して入球口４２に入球する構成を示したが、入球口４２とは異なる入球口に入球する構成であってもよい。例えば、枠部材４０に入球口を複数設けて、入球口４２とは異なる入球口を外れ口としてもよく、球送出部材８０によって送り出された遊技球が入球口４２または外れ口に入球する構成であってもよい。また、第１実施形態では、常に球受け部材７０の昇降動作を行うようにしたが、所定条件により球落下口と球送出部材との間隙を球落下口から遊技球が落下不能となる閉鎖状態として、球受け部材に受けられた遊技球が球落下口から落下することなく、球送出部材によって枠部材に送り出し入球口に入球するチャンスを増大させるようにしてもよく、所定時間後に球落下口と球送出部材との間隙を球落下口から遊技球が落下可能となる開放状態にして、球受け部材に受けられた遊技球を球落下口から落下させるようにしてもよい。このように制御することで、「チャンスタイム」として遊技者の興趣を高めることができる。
【００８３】
上述した第１実施形態では、モータ３７の正逆回転（第１回転方向および第２回転方向への回転）によって球受け部材７０の昇降動作を行なう構成を示したが、その他の構成によって球受け部材７０の昇降動作を行なってもよい。例えば、リンク部材５０の一方向のみの回転によって昇降部材６０を昇降させる機構が設けられており、一方向のみ回転するモータの駆動によってリンク部材５０を回転させる構成であってもよい。
【符号の説明】
【００８４】
１…遊技機
４…遊技盤
２０…役物装置
４０…枠部材
４２…入球口
７０，２７０…球受け部材
７１…球受け面
７５…球落下口
７３…第１案内路（案内路）
７３ａ，７４ａ…縁部
７３ｃ，７４ｃ…送出端部（開放端部）
７４…第２案内路（案内路）
８０，２８０，３８０，４８０…球送出部材
８２…第１作用片（作用片）
８２ａ…支持段部
８３…第２作用片（作用片）
８６…阻止片
２８７，３８７，４８７…接触片
【図１】
2020039660.tif 000003
【図２】
2020039660.tif 000004
【図３】
2020039660.tif 000005
【図４】
2020039660.tif 000006
【図５】
2020039660.tif 000007
【図６】
2020039660.tif 000008
【図７】
2020039660.tif 000009
【図８】
2020039660.tif 000010
【図９】
2020039660.tif 000011
【図１０】
2020039660.tif 000012
【図１１】
2020039660.tif 000013
【図１２】
2020039660.tif 000014
【図１３】
2020039660.tif 000015